(57)【要約】  例えばＴＶ及び他のマルチメディアなどのようなブロードキャスト情報を良い品質で受信可能にするための、通信システムにおけるユーザ装置（ＵＥ）のための機能を説明する。特に、ブロードキャストの受信を中断する危険を最小限にするようにシステムの測定処理をスケジューリングする方法及び装置を説明する。
2008514147.tif 000002
【特許請求の範囲】
【請求項１】
通信システムにおけるユーザ装置（ＵＥ）において、ブロードキャスト情報を含み連続的なフレームで形成される受信信号の測定をスケジューリングする方法であって、
ブロードキャスト情報を受信する時間以外の時間に受信信号強度表示信号（ＲＳＳＩ）を評価するステップと、
前記評価したＲＳＳＩに基づいてセルを再選択する処理を実行するステップと、
受信周波数を新しいセルの周波数に変更するステップであって、前記ブロードキャスト情報を受信する時間以外の時間に、前記新しいセルを求めて近隣セルのリストを検査し、前記新しいセルにおける物理チャネルを検索することを含むステップと、
前記新しいセルにおける前記物理チャネルが発見された場合に、前記新しいセルのブロードキャストチャネルを読み、前記新しいセルを前記近接セルのリストに含めるステップと、
前記ブロードキャスト情報を受信する時間以外の時間に前記新しいセルにおける前記物理チャネルが発見されなかった場合に、前記ブロードキャスト情報を受信する時間内に前記新しいセルにおける物理チャネルを検索することにより前記ブロードキャスト情報の受信を中断するステップと、
を備えることを特徴とする方法。
【請求項２】
前記ＵＥが予め定められたブロードキャスト情報受信モードであるか否かを判断するステップを更に備えることを特徴とする請求項１に記載の方法。
【請求項３】
前記中断するステップは、前記物理チャネルを検索するために、所定のフレーム数毎に定期的に前記ブロードキャスト情報の受信を中断することを含むことを特徴とする請求項１に記載の方法。
【請求項４】
前記物理チャネルは、周波数補正チャネル及び同期チャネルのうちの少なくとも一方であることを特徴とする請求項１に記載の方法。
【請求項５】
前記中断するステップは、ブロードキャスト情報のデコーダのリスタート信号によって示される時間に、前記新しいセルにおける前記物理チャネルを検索することにより前記ブロードキャスト情報の受信を中断することを含むことを特徴とする請求項１に記載の方法。
【請求項６】
前記通信システムにおいて送信されるブロードキャスト信号は少なくとも１つのアイドルフレームを含み、
前記中断するステップは、前記少なくとも１つのアイドルフレームの間に前記新しいセルにおける前記物理チャネルを検索することにより前記ブロードキャスト情報の受信を中断することを含む
ことを特徴とする請求項１に記載の方法。
【請求項７】
前記新しいセルにおける前記物理チャネルを検索する前記ステップは、規則的な時間間隔で実行されることを特徴とする請求項６に記載の方法。
【請求項８】
前記時間間隔の間隔は、受信したメッセージに基づいて前記ＵＥによって決定されることを特徴とする請求項７に記載の方法。
【請求項９】
前記時間間隔の間隔は、盲目的に検出されたアイドルフレームに基づいて前記ＵＥによって決定されることを特徴とする請求項７に記載の方法。
【請求項１０】
通信システムにおいて送信された無線信号を受信し、ブロードキャスト情報を含み連続的なフレームで形成される受信信号の測定をスケジューリングするユーザ装置（ＵＥ）であって、
受信した無線信号からベースバンド信号を生成するように構成された受信機と、
受信信号強度表示信号（ＲＳＳＩ）を判断するように構成されたベースバンドプロセッサと、
ブロードキャスト情報を受信する時間以外の時間に前記ＲＳＳＩを評価し、前記評価したＲＳＳＩに基づいて前記ＵＥにセルを再選択する処理を実行させるように構成された制御部と、
を備え、
前記制御部は、
受信周波数を新しいセルの周波数に変更するように構成されており、当該変更は、前記ブロードキャスト情報を受信する時間以外の時間に、前記新しいセルを求めて近隣セルのリストを検査し、前記新しいセルにおける物理チャネルを検索することを含み、
前記新しいセルにおける前記物理チャネルが発見された場合、前記新しいセルのブロードキャストチャネルが読まれ、前記新しいセルが前記近接セルのリストに含められ、
前記ブロードキャスト情報を受信する時間以外の時間に前記新しいセルにおける前記物理チャネルが発見されなかった場合、前記ブロードキャスト情報を受信する時間内に前記新しいセルにおける物理チャネルを検索するために前記ブロードキャスト情報の受信が中断される
ように構成されていることを特徴とするユーザ装置（ＵＥ）。
【請求項１１】
前記制御部は更に、前記ＵＥが予め定められたブロードキャスト情報受信モードであるか否かを判断するように構成されていることを特徴とする請求項１０に記載のユーザ装置（ＵＥ）。
【請求項１２】
前記ブロードキャスト情報の受信は、前記物理チャネルを検索するために、所定のフレーム数毎に定期的に中断されることを特徴とする請求項１０に記載のユーザ装置。
【請求項１３】
前記物理チャネルは、周波数補正チャネル及び同期チャネルのうちの少なくとも一方であることを特徴とする請求項１０に記載のユーザ装置。
【請求項１４】
前記制御部は、前記ブロードキャスト情報をデコードするデコーダを含み、
前記ブロードキャスト情報の受信は、前記デコーダのリスタート信号によって示される時間に、前記新しいセルにおける前記物理チャネルを検索するために中断される
ことを特徴とする請求項１０に記載のユーザ装置。
【請求項１５】
前記通信システムにおいて送信されるブロードキャスト信号は少なくとも１つのアイドルフレームを含み、
前記ブロードキャスト情報の受信は、前記少なくとも１つのアイドルフレームの間に前記新しいセルにおける前記物理チャネルを検索するために中断される
ことを特徴とする請求項１０に記載のユーザ装置。
【請求項１６】
前記ブロードバンドプロセッサ及び前記制御部のうちの少なくとも一方は、前記アイドルフレームを検出し、前記アイドルフレームの周期性を判断するように構成されていることを特徴とする請求項１５に記載のユーザ装置。
【請求項１７】
前記アイドルフレームは、前記受信した無線信号の既知の部分の間の受信信号エネルギーを推定し、前記推定された受信信号エネルギーを、閾値、及び他の推定された受信信号エネルギーのうちの少なくとも一方と比較することにより、検出されることを特徴とする請求項１６に記載のユーザ装置。
【請求項１８】
前記制御部は、受信したブロードキャスト情報をデコードするように構成されたデコーダを含み、
前記アイドルフレームは、前記デコーダの出力に基づいて検出される
ことを特徴とする請求項１６に記載のユーザ装置。
【請求項１９】
ユーザによる操作のために構成された入力デバイスを更に備え、
前記制御部は、前記入力デバイスへのユーザ入力によって生成される信号に基づいて、或いは前記入力デバイスへのユーザ入力に応じて、前記ユーザ装置が予め定められたブロードキャスト情報受信モードであるか否かを判断する
ことを特徴とする請求項１０に記載のユーザ装置。
【請求項２０】
通信システムにおけるユーザ装置（ＵＥ）において、前記ＵＥが予め定められたブロードキャスト情報受信モードである場合に、ブロードキャスト情報を含み連続的なフレームで形成される受信信号の測定をスケジューリングするコンピュータプログラムを含むコンピュータ読み取り可能な記録媒体であって、前記コンピュータプログラムは前記ＵＥに、
ブロードキャスト情報を受信する時間以外の時間に受信信号強度表示信号（ＲＳＳＩ）を評価するステップと、
前記評価したＲＳＳＩに基づいてセルを再選択する処理を実行するステップと、
受信周波数を新しいセルの周波数に変更するステップであって、前記ブロードキャスト情報を受信する時間以外の時間に、前記新しいセルを求めて近隣セルのリストを検査し、前記新しいセルにおける物理チャネルを検索することを含むステップと、
前記新しいセルにおける前記物理チャネルが発見された場合に、前記新しいセルのブロードキャストチャネルを読み、前記新しいセルを前記近接セルのリストに含めるステップと、
前記ブロードキャスト情報を受信する時間以外の時間に前記新しいセルにおける前記物理チャネルが発見されなかった場合に、前記ブロードキャスト情報を受信する時間内に前記新しいセルにおける物理チャネルを検索することにより前記ブロードキャスト情報の受信を中断するステップと、
を実行させることを特徴とするコンピュータ読み取り可能な記録媒体。
【請求項２１】
前記中断するステップは、前記物理チャネルを検索するために、所定のフレーム数毎に定期的に前記ブロードキャスト情報の受信を中断することを含むことを特徴とする請求項２０に記載のコンピュータ読み取り可能な記録媒体。
【請求項２２】
前記中断するステップは、ブロードキャスト情報のデコーダのリスタート信号によって示される時間に、前記新しいセルにおける前記物理チャネルを検索することにより前記ブロードキャスト情報の受信を中断することを含むことを特徴とする請求項２０に記載のコンピュータ読み取り可能な記録媒体。
【請求項２３】
前記通信システムにおいて送信されるブロードキャスト信号は少なくとも１つのアイドルフレームを含み、
前記中断するステップは、前記少なくとも１つのアイドルフレームの間に前記新しいセルにおける前記物理チャネルを検索することにより前記ブロードキャスト情報の受信を中断することを含む
ことを特徴とする請求項２０に記載のコンピュータ読み取り可能な記録媒体。
【請求項２４】
前記中断するステップは、前記少なくとも１つのアイドルフレームを盲目的に検出することを含むことを特徴とする請求項２３に記載のコンピュータ読み取り可能な記録媒体。
【発明の詳細な説明】
【技術分野】
【０００１】
本出願は移動通信システムに関し、特に、そのような通信システムにおける、テレビ放送、及びそのような放送を受信するのに適したユーザ装置に関する。
【背景技術】
【０００２】
「放送のような(broadcast-like)」テレビ（ＴＶ）サービス、即ち、従来のテレビチャネルのコンセプトを持つサービスは、いくつかの移動電話ネットワークにおいて既に利用可能である。例えば、テレコムイタリアモバイル（ＴＩＭ）のモバイルＴＶサービスは、ＴＩＭの加入者にストリーミングのコンテンツを提供し、ＧＳＭの汎用パケット無線サービス（ＧＰＲＳ）技術により加入者が移動電話上でテレビ番組を見ることを可能にしている。他の例として、例えばボーダフォンによって提供されているような、スポーツチームのゴールを通知するサービスがある。このサービスは、ＧＳＭのマルチメディアメッセージングサービス（ＭＭＳ）を使用する。これらのサービスの現在の実装は、ユニキャストのＧＰＲＳベアラ上でのリアルタイムのストリーミングに基づいているが、アプリケーションサーバ、コアネットワーク、及び無線ネットワークに関する容量の限界により、サービスの拡大や増強が制約を受ける。いくつかのネットワークオペレータは現在、回線交換方式（ＣＳ）のストリーミングにより、広帯域符号分割多元接続（ＷＣＤＭＡ）通信システムにおいて放送のようなサービスを配信している。
【０００３】
ＧＳＭ通信システム及びＷＣＤＭＡ通信システムにおけるマルチメディア・ブロードキャスト／マルチキャスト・サービス（ＭＢＭＳ）は現在、第３世代パートナーシッププロジェクト（３ＧＰＰ）によって、技術仕様書（ＴＳ） 23.246 "Multimedia Broadcast/Multicast Service (MBMS);Architecture and functional description", V6.6.0, Rel.6 (March 2003)で標準化されている。この仕様書によれば、ＭＢＭＳはポイント・ツー・マルチポイントのサービスであり、単一の送信元エンティティから複数の受信者へデータが送信される。同一のデータを複数の受信者へ送信することにより、ネットワークリソースの共有が可能となる。また、ＭＢＭＳベアラサービスは、ブロードキャストモード及びマルチキャストモードを持つ。ＭＢＭＳにより、通信システムに、マルチキャストサービス及びブロードキャストサービスの完全なセットを提供することができる。ここで、通信システムは、例えばＵＭＴＳや、ＧＳＭに基づく移動電話システム、エンハンスト・データレート・フォー・ＧＳＭエボリューション（ＥＤＧＥ）、及びＷＣＤＭＡのような技術仕様によるものなどである。ＧＳＭ  ＥＤＧＥ無線アクセスネットワークは通常、ＧＥＲＡＮと略される。ＭＢＭＳの配備により、ネットワークアーキテクチャの変更に加えて、サービスに関連する追加のシグナリングが既存のシステムに対して導入されることになる。ＭＢＭＳの特徴は、Ｍ．Ｂａｋｈｕｉｚｅｎ他による"Mobile Broadcast/Multicast in Mobile Networks", Ericsson Review vol. 82, no. 1, pp. 6-13 (2005)"に記載されている。
【０００４】
ハンドヘルドデバイスに特有の小さな表示画面のためのストリーミングセッションに使用される、オーディオ及びビデオのコーダ／デコーダ（コーデック）が改良されつつあり、３ＧＰＰによって標準化されている（例えば、TS 26.234 "Transparent end-to-end Packet-switched Streaming Service (PSS);Protocols and codecs", V6.3.0, Rel.6 (March 2003)）。ＴＩＭのモバイルＴＶサービスのような現在の実装は、２８キロビット毎秒（ｋｂｐｓ）のデータレートを持つストリームを使用するが、極めて高品質なコンテンツのためには、必要とされるデータレートは恐らく１００ｋｂｐｓ以上である。中間レベルの品質については、４０−６４ｋｂｐｓのデータレートが、オーディオ及びビデオの両方を含むストリームのために必要とされる。例えば、適応マルチレート広帯域コーデック（ＡＭＲ−ＷＢ＋）に従って符号化されたステレオオーディオに対しては１２ｋｂｐｓを使用可能であり、ＭＰＥＧ４コーデックに従って符号化されたビデオに対しては３２ｋｂｐｓを使用可能であろう。許容可能な性能のためには、そのようなストリームにおけるエラーに対するユーザの感度を１％、２％或いはそれ以下のブロックエラーレート（ＢＬＥＲ）と考える必要があろう。
【０００５】
進行中の他の標準化作業は、デジタルビデオブロードキャスティング（ＤＶＢ）プロジェクトであり、例えば移動電話などのような移動端末（ＭＴ）にＤＶＢ受信機を含めることを目指している。最近の標準は、"Digital Video Broadcasting (DVB); Transmission System for Handheld Terminals (DVB-H)", ETSI EN 302 304 V1.1.1 (June 2004)である。これは、現在のＤＶＢ−テレストリアル（ＤＶＢ−Ｔ）標準の拡張であり、ハンドヘルドデバイスをサポートし、新たな送信モードであるＩＰデータキャスティング（ＩＰＤＣ）を導入するものである。これは、"IPDC in DVB-H: Technical requirements", DVB Project (June 2004)に記載されている。ＩＰＤＣは、エンド・ツー・エンドのＤＶＢシステムであり、モバイルハンドヘルドブロードキャストサービスのためのモバイルインタラクションチャネルを含む。"IP Datacast Baseline Specification; PSI/SI Guidelines for DVB-T/H Systems", document A079, DVB Project (April 2004)も併せて参照されたい。更に多くの情報を得るためには、関心があればhttp://www.dvb.orgを参照されたい。
【０００６】
また、独立したＤＶＢ−Ｈ受信機をユーザ端末に含めるには、新たな端末ハードウェア及びアンテナも必要とされる。周波数帯の割り当てに違いにより、国毎に異なるアンテナが必要とされる場合もある。新たなネットワークノードに起因する相互運用性の試験及び検証は、導入を遅らせることになろう。番組(programs)／チャネルを局所的（特定の場所）に配布することは、一般的に国又は地域をカバーするように設計されているネットワーク構造を変更する必要があるので、費用のかかるものとなるであろう。
【０００７】
ＤＶＢ−Ｈ及びＤＶＢ−Ｔと比べて、ＧＥＲＡＮ／ＵＴＲＡＮ  ＭＢＭＳは低いデータレートしか持たない。一方、ＧＥＲＡＮ／ＵＴＲＡＭ  ＭＢＭＳは、セル毎に異なる情報を送信することができる。それゆえ、特定の場所毎に変化したりブロードキャスト／マルチキャストのグループに依存したりするコンテンツをブロードキャストするのに適している。ＵＴＲＡＮ、即ちＵＭＴＳ地上無線アクセスネットワークは、ユニバーサル移動通信システム（ＵＭＴＳ）の一部であり、無線ネットワーク制御装置（ＲＮＣ）と所謂ノードＢとを含むネットワークの一部を特定する。ノードＢは、他の移動電話システムにおける基地局と同等のものである。ＵＭＴＳは、国際電気通信連合（ＩＴＵ）のＩＭＴ−２０００の枠組みで開発中の第３世代（３Ｇ）移動電話システムの１つであり、３ＧＰＰによって標準化が進められている。
【０００８】
例えそうであっても、ＤＶＢ−Ｈに対抗するためには、セルラブロードキャストベアラの性能は、改良すべき状態に置かれている。エンハンストＧＰＲＳ（ＥＧＰＲＳ）及びＷＣＤＭＡのシステムのいずれにおいても、専用のユニキャストチャネルは、大規模な使用形態に拡張できないので、モバイルＴＶのストリーミングに使用することは困難である。無線ネットワークにおける容量の限界に関するこの問題には、ＭＢＭＳが有効である。ＭＢＭＳは、同一のコンテンツを受信する端末の各グループに対して１つの個別チャネル(dedicated channel)を提供する。それにも関わらず、番組案内又はサービスの説明のための別のチャネルも必要である。更に、チャネルの切り替えは、ストリーミングセッションの再開によって引き起こされる遅延のために、現在標準化されているＭＢＭＳでは遅いものとなり得る。
【０００９】
ＧＳＭ／ＥＤＧＥ標準に適合してＴＶ放送を提供する通信システムは、Ａ．Ｓｉｍｏｎｓｓｏｎ他によって２００５年９月１４日に出願された米国特許出願"TRANSPARENT BROADCAST STRUCTURE IN COMMUNICATION SYSTEMS"に記載されている。ここで参照により全体が明示的に本願に組み込まれ、本特許出願においては「Ｓｉｍｏｎｓｓｏｎ出願」と呼ぶ上記の特許出願は、ＧＳＭ／ＥＤＧＥ又は同様の通信システムにおける報知制御チャネル（ＢＣＣＨ）のタイムスロット・ゼロ（ＴＳ０）によって一般的に搬送される、既存のショートメッセージサービス（ＳＭＳ）ブロードキャストチャネルを、追加のタイムスロットによって拡張可能であることを記載している。また、これらの追加のタイムスロットは、ツリー構造で示すことが可能であり、そのルートがＳＭＳブロードキャストチャネルに存在することを記載している。ＢＣＣＨは一般的に、例えばページングメッセージや呼警報(call alert)メッセージのようなオーバヘッドメッセージに加えて、個々の端末へ向けられたＳＭＳのようなテキストメッセージを搬送する。
【００１０】
そのような拡張されたＢＣＣＨは、放送のようなサービスのために使用可能であり、例えば移動電話などのような通信端末と例えば基地局やノードＢなどのような通信システムの基幹部分との間での相互作用は不要である。端末は、基地局が送信したブロードキャストチャネルのみを受信する。このようにして、通常のＥＧＰＲＳチャネルを、メディアサーバから基地局におけるブロードキャストチャネルに対して設定することができる。チャネルの数、チャネルの内容（コンテンツ）、及びチャネルの構造は、適切なディメンショニング及びプログラム生成(program production)によってシステムオペレータが規定することができる。端末は、端末内で実行する適切なソフトウェアアプリケーションにより、ブロードキャストチャネルを選択したり、放送コンテンツをキャッシュ或いは保存したりすることができる。また、同一の或いは他のソフトウェアアプリケーションは受信に最適な周波数を選択することができるので、実質的に端末のハンドオーバを引き起こすことができる。
【００１１】
追加の機能は、例えばＳｉｍｏｎｓｓｏｎ出願に記載されているような、通信システムにおけるユーザ装置（ＵＥ）にとって、例えばＴＶ及び他のマルチメディアなどのブロードキャストされた情報を良い品質で受信することを可能にするためには有利である。
【発明の開示】
【課題を解決するための手段】
【００１２】
本発明の一態様によれば、通信システムにおけるＵＥにおいて、ブロードキャスト情報を含み連続的なフレームで形成される受信信号の測定をスケジューリングする方法が提供される。本方法は、ブロードキャスト情報を受信する時間以外の時間に受信信号強度表示信号（ＲＳＳＩ）を評価するステップと、前記評価したＲＳＳＩに基づいてセルを再選択する処理を実行するステップと、受信周波数を新しいセルの周波数に変更するステップであって、前記ブロードキャスト情報を受信する時間以外の時間に、前記新しいセルを求めて近隣セルのリストを検査し、前記新しいセルにおける物理チャネルを検索することを含むステップと、を含む。前記新しいセルにおける前記物理チャネルが発見された場合、前記新しいセルのブロードキャストチャネルが読まれ、前記新しいセルは前記近接セルのリストに含められる。前記ブロードキャスト情報を受信する時間以外の時間に前記新しいセルにおける前記物理チャネルが発見されなかった場合、前記ブロードキャスト情報を受信する時間内に前記新しいセルにおける物理チャネルを検索することにより前記ブロードキャスト情報の受信が中断される。
【００１３】
本発明の他の態様によれば、通信システムにおいて送信された無線信号を受信し、受信信号の測定をスケジューリングするＵＥが提供される。前記受信信号は、ブロードキャスト情報を含み、連続的なフレームで形成される。前記ＵＥは、受信した無線信号からベースバンド信号を生成するように構成された受信機と、ＲＳＳＩを判断するように構成されたベースバンドプロセッサと、ブロードキャスト情報を受信する時間以外の時間に前記ＲＳＳＩを評価し、前記評価したＲＳＳＩに基づいて前記ＵＥにセルを再選択する処理を実行させるように構成された制御部と、を含む。前記制御部は、受信周波数を新しいセルの周波数に変更するように構成されており、当該変更は、前記ブロードキャスト情報を受信する時間以外の時間に、前記新しいセルを求めて近隣セルのリストを検査し、前記新しいセルにおける物理チャネルを検索することを含み、前記新しいセルにおける前記物理チャネルが発見された場合、前記新しいセルのブロードキャストチャネルが読まれ、前記新しいセルが前記近接セルのリストに含められ、前記ブロードキャスト情報を受信する時間以外の時間に前記新しいセルにおける前記物理チャネルが発見されなかった場合、前記ブロードキャスト情報を受信する時間内に前記新しいセルにおける物理チャネルを検索するために前記ブロードキャスト情報の受信が中断されるように構成されている。
【００１４】
本発明の更に他の態様によれば、通信システムにおけるユーザ装置（ＵＥ）において、前記ＵＥが予め定められたブロードキャスト情報受信モードである場合に、ブロードキャスト情報を含み連続的なフレームで形成される受信信号の測定をスケジューリングするコンピュータプログラムを含むコンピュータ読み取り可能な記録媒体が提供される。前記コンピュータプログラムは前記ＵＥに、ブロードキャスト情報を受信する時間以外の時間にＲＳＳＩを評価するステップと、前記評価したＲＳＳＩに基づいてセルを再選択する処理を実行するステップと、受信周波数を新しいセルの周波数に変更するステップであって、前記ブロードキャスト情報を受信する時間以外の時間に、前記新しいセルを求めて近隣セルのリストを検査し、前記新しいセルにおける物理チャネルを検索することを含むステップと、を実行させる。前記新しいセルにおける前記物理チャネルが発見された場合、前記新しいセルのブロードキャストチャネルが読まれ、前記新しいセルは前記近接セルのリストに含められる。前記ブロードキャスト情報を受信する時間以外の時間に前記新しいセルにおける前記物理チャネルが発見されなかった場合、前記ブロードキャスト情報を受信する時間内に前記新しいセルにおける物理チャネルを検索することにより前記ブロードキャスト情報の受信が中断される。
【００１５】
本発明のいくつかの特徴、目的、及び利点は、図面と併せて本明細書を読むことにより理解できよう。
【発明を実施するための最良の形態】
【００１６】
例えばＳｉｍｏｎｓｓｏｎ出願に記載されているような、通信システムにおけるＭＴにとって、ＴＶ及び他のマルチメディアのブロードキャストを良い品質で受信することを可能にするために有利な、新機能を説明する前に、Ｓｉｍｏｎｓｓｏｎ出願の特徴のいくつかを以下に説明する。
【００１７】
図１は、キャリア信号の時間的な一部分である複数のタイムスロット、ＴＳ０，ＴＳ１，ＴＳ２，．．．，ＴＳ７を示す。ＧＳＭ／ＥＤＧＥにおいては、ＢＣＣＨのＴＳ０はＳＭＳ情報を搬送し、ＳＭＳブロードキャストチャネルは９３文字のページを１５ページ搬送することができる。
【００１８】
例えば文字列のような、拡張チャネルを示すポインタ又はトークンが、典型的なＳＭＳチャネル上でブロードキャストされたページのいずれかなどのタイムスロットに挿入され得る。例えば、"Broadcast: BCCH TS1: BBC"という文字列が、ＴＳ０によって搬送されるページに挿入され得る。文字列それ自体によって示唆され、且つ以下により詳細に説明されるように、そのような文字列は、他の単数又は複数のＢＣＣＨタイムスロットを示し、そこにある情報を表すことができる。この例では、ＢＣＣＨのタイムスロットＴＳ１は、英国放送協会（ＢＢＣ）のチャネルに関する情報を有する。
【００１９】
文字列だけではなく、あらゆる適切なポインタを使用可能であり、ポインタは、実質的にあらゆるブロードキャストチャネル上で事前に決定されているスロットに含まれてさえいればよいということが、理解されよう。更に、ポインタは自身のチャネル上の単数又は複数のスロットを示す必要は無く、一般に、通信システムにおけるあらゆる他の単数又は複数のスロットを示すことができ、トラフィックチャネル上のスロットを示してもよい。また、ポインタは、「開かれた」、即ちユーザに提示される情報を含んでもよいし、「隠された」、即ちユーザ端末によって使用されるがユーザに提示される必要は無い情報を含んでもよい。そのような隠された情報の例には、単数又は複数のブロードキャストチャネルのために使用される変調方式及び符号化方式に関する情報や、どのタイムスロットがどのブロードキャストチャネルに対応するかに関する情報がある。
【００２０】
図１に示される例のように、タイムスロットＴＳ１のようなタイムスロットにおいて搬送され、ＳＭＳ文字列のようなポインタによって示される第１の拡張チャネルは、サービス案内又は番組案内として都合良く使用可能である。サービス案内又は番組案内は、従来のテキストＴＶチャネルのメインページと同じように見えることが便利であろうが、必ずしもその必要は無い。拡張チャネルのために十分な数の物理的なタイムスロットを提供することにより、いくつかのメインページ又はチャネルを示すことができる。例えば、その１つは、通信システムにおいて利用可能なブロードキャストサービスノード或いはブロードキャストプロダクションである。タイムスロットＴＳ１におけるこのような３つのメインページは、後続のタイムスロットの各ペアを指す３つの矢印によって示される。サービス案内のコンテンツは端末に対して継続的に更新されると都合が良い。
【００２１】
メインページ上の文字列のような１以上の適切なポインタは、追加の（単数又は複数の）指し示されるタイムスロットによって搬送される、他の単数又は複数の拡張チャネルを示すことができる。図１に示される例において、ＴＶチャネル１と呼ばれる拡張チャネルは、タイムスロットＴＳ２及びＴＳ３によって搬送され、ＴＶチャネル２と呼ばれる他の拡張チャネルは、タイムスロットＴＳ４及びＴＳ５によって搬送され、ＴＶチャネル３と呼ばれる更に他の拡張チャネルは、タイムスロットＴＳ６及びＴＳ７によって搬送される。それゆえ、ＢＣＣＨ全体が、ブロードキャストチャネルに割り当てられたものとして示されるが、これは必須ではない。また、ＢＣＣＨチャネルだけが上述した放送のような情報のための唯一の候補ではない。ＲＡＮにおいてトラフィックチャネル（ＴＣＨ）のために使用されるキャリアも使用可能である。この例におけるサービス案内及び３つのテレビチャネルのような、正式に承認されていないマルチメディア情報を搬送するチャネルは、割り当てられたタイムスロットの中にあらゆる適切な方法で配置可能である。
【００２２】
図２は、本願で説明するチャネル構造を使用可能な通信システム２００のブロック図である。移動端末、即ちユーザ装置（ＵＥ）２０２は、例えばＧＳＭ／ＥＤＧＥネットワークのような無線アクセスネットワーク（ＲＡＮ）２０４を介して、コアネットワークのエンティティと通信する。コアネットワークのエンティティは、在圏ＧＰＲＳサポートノード（ＳＧＳＮ）２０６、関門ＧＳＮ（ＧＧＳＮ）２０８、ホームロケーションレジスタ（ＨＬＲ）２１０、及びブロードキャスト／マルチキャスト・サービスセンター（ＢＭ−ＳＣ）２１２を含む。コアネットワークのエンティティは、従来のものであり、ＭＢＭＳ及びマルチメディアインフォーメーションを全体として扱うように適合されている。典型的なＧＳＭ／ＥＤＧＥネットワークにおいて、データフローを管理するためのＰＤＰコンテキストが、ＭＴ／ＵＥ２０２からの要求に応答してＧＧＳＮ２０８において設定される。
【００２３】
特に、ＢＭ−ＳＣ２１２は、モバイルブロードキャストサービスを提供して配信することを担い、コンテンツ配信サービスのためのエントリーポイント、或いはＭＢＭＳの使用を欲するサーバとして機能する。ＢＭ−ＳＣ２１２は、ＲＡＮ２０４へのＭＢＭＳトランスポートベアラを設定して制御する。そして、ＭＢＭＳ放送(transmission)をスケジューリングして配信するために使用することができる。ＢＭ−ＳＣ２１２はまた、ＵＥに対して、ＭＢＭＳサービスに参加するために必要な情報を含むサービスアナウンスメント（告知）を提供することもできる。ＢＭ−ＳＣ２１２は、マルチキャストモードのために規定されるセキュリティ機能を管理するために使用可能である。ＲＡＮ２０４は、１以上の基地局及び基地局コントローラ、或いはノードＢ及び無線ネットワーク制御装置（ＲＮＣ）を含む。これらは、ＵＥに対して送信される無線信号が本願で説明するチャネル構造を含むということを除き、従来のものである。
【００２４】
システムオペレータは、適切なディメンショニングにより、タイムスロットの数、サービス、及びブロードキャストの品質を決定することができる。ＲＡＮにおける送信のための変調方式及び符号化方式（ＭＳＣ）は、要求される品質、受信可能範囲(coverage)、及び周波数計画(frequency plan)に基づいて選択可能であり、ブロードキャストのために割り当てられるチャネルの数は、容量、及び要求されるサービス要件（例えば要求されるブロードキャストＴＶサービスのためのコーデックビットレート）に基づき得る。多数の異なる方式（ＭＳＣ−１からＭＳＣ−９）が現在ＥＧＰＲＳのために標準化されている。ＭＳＣ−１からＭＳＣ−４は、ガウス型最小シフトキーイング（ＧＭＳＫ）変調を使用し、ＭＳＣ−５からＭＳＣ−９は、（３π／８）８−ａｒｙ位相シフトキーイング（８−ＰＳＫ）変調を使用する。
【００２５】
上述の様に、この構成の利点は、端末と基地局との間における特別な相互作用の要求が存在しないことである。基地局は、正式には承認されていないマルチメディア情報を継続的に送信しさえすればよく、受信機の位置や起動状態を意識しなくてよい。端末は、ブロードキャスト情報のチャネルを選択し、また、その情報の最良の送信機を都合良く選択する。
【００２６】
図３は、ＭＴ又はＵＥ２０２のブロック図である。ブロードキャスト情報の選択を容易にするために、端末２０２内のプロセッサ３０２によって実行されるソフトウェアアプリケーションは、端末のキーパッド３０４を都合良く再定義することができる。ソフトウェアアプリケーションは、適切なアプリケーションメモリ３０６に格納可能であり、例えば、キーパッド上の「１」が図１に示される構成においてサービス案内であるチャネル１を意味し、キーパッド上の「２」がチャネル２を意味するといったように動作する。以下、これを更に詳細に説明する。
【００２７】
端末２０２はまた、ユーザの好み、及び端末のアプリケーションに基づいて、欲する情報を適切なメモリ３０８にダウンロード及びキャッシュ、或いはダウンロード又はキャッシュすることもできる。キャッシュされた情報があれば、ストリーミングのバッファリングを開始する必要が無いので、ブロードキャストＴＶチャネル間の敏速なチャネルの切り替えの実行が可能になる。全ブロードキャストチャネルそれぞれがダウンロード及びキャッシュ、或いはダウンロード又はキャッシュされてもよいし、ユーザ設定又は以前の使用形態に基づいて１以上のチャネルがダウンロード及びキャッシュ、或いはダウンロード又はキャッシュされてもよい。非リアルタイム送信、例えばニュースクリップは、ユーザの都合の良い時に見たサービス案内を介してダウンロードされ、動的に更新されても良い。タイムスタンプの付与、及び記憶装置のリフレッシュが、サービス案内の更新と併せて恐らくは必要であろう。例えば、サービス案内の最新版は、（最新版に記載されている）新しいコンテンツ、各メモリポインタ、及びタイムスタンプと共に送信されてもよい。新しいコンテンツはブロードキャストチャネル上で提示されてもよく、また、新しいコンテンツに対するポインタはサービス案内中に提示されてもよい。このようにして、リフレッシュレートが増加されるので、データ（クリップ）の大部分は、ユーザアクセスの遅延についていかなる変化も無しにタイムスロット毎に提供可能である。コンテンツの中にはリアルタイムではなくユーザの都合の良い時に視聴されるものもあるかもしれないが、そのようなコンテンツでも現在の情報で更新してよい。
【００２８】
ここで説明するＧＳＭ／ＥＤＧＥ通信システムにおけるブロードキャストＴＶは、一般的に、非関知モード(unacknowledged-mode)の無線リンク制御（ＲＬＣ）による非暗号化送信を使用する。非暗号化送信は、３ＧＰＰ標準でサポートされている（例えば、3GPP TS 04.64 V8.7.0, General Packet Radio Service (GPRS); Mobile Station - Serving GPRS Support Node (MS-SGSN) Logical Link Control (LLC) layer specification, Rel. 99 (Dec. 2001)）。暗号化が望まれる場合、アプリケーション層で実行されてもよいし、署名(subscription)によって制御されてもよい。暗号化されたチャネルは、例えばペイ・パー・ビュー・イベントなどのような「有料」コンテンツのために使用され得る。
【００２９】
通常のＧＰＲＳチャネルは、ＢＭ−ＳＣ２１２、又はブロードキャストコンテンツの他のプロバイダから、ＲＡＮ２０４内の基地局に対して設定される。（利用可能なブロードキャストチャネルの容量内での）コンテンツの変更、及び品質は、ＢＭ−ＳＣによって管理され得る。また、ＢＭ−ＳＣは、ネットワーク設定の他の部分を変更すること無しに、メインページ（タイムスロットＴＳ１）以下の図１に示されるようなチャネル構造又はタイムスロットツリーを変更することができる。
【００３０】
許容可能な品質で一般的な移動電話上にリアルタイムのＴＶを表示するには、恐らく約２％のＢＬＥＲを超えない、約４０ｋｂｐｓのデータレートが必要であろう。ＢＣＣＨは一般的に、周波数の再利用係数が１２から１５で設計されており、セルの境界において１０ｄＢから１２ｄＢのキャリア／干渉（Ｃ／Ｉ）比になっている。ＭＣＳ−５の方式は、タイムスロット毎に２２ｋｂｐｓ(22kbps/timeslot)を、１０ｄＢのＣ／Ｉで約１％のＢＬＥＲで提供する。送信は非関知(unacknowledged)なので、１％のＢＬＥＲに対応する「パケットエラーレート」は、送信されるＩＰパケットの長さに依存することが理解できよう。ＢＬＥＲの更なる改良が必要であれば、転送エラー訂正（ＦＥＣ）（例えば、ブロック符号、畳み込み符号(convolutional codes)、及びこれらの変形）のようなエラー訂正技術を使用可能である。この場合、（約５％から１０％）より多くの帯域が必要になろう。図１に示されるように１つのＴＶチャネルに２つのＢＣＣＨタイムスロットを使用すると、許容可能な品質のために必要なデータレートを提供することができる。
【００３１】
それゆえ、図１に示されるように、２２ｋｂｐｓのデータレートで１つのタイムスロットによって搬送可能な１つのチャネルを残して、３つのＴＶチャネルをＢＣＣＨ上に提供可能である。残ったチャネルは、サービス案内でもよいし、テキストニュース、写真、及びビデオクリップなどの情報でもよい。このチャネルは、周期的な形態で情報を送信することができる。即ち、全情報が各タイムスロットで送信されるわけではない。そして、移動端末は、高速アクセスのためにこの情報を蓄積することができる。情報コンテンツは、従来のテキストＴＶ／テレテキスト(Tele-text)と似ていてもよいし、より進化して音声及び映像を含むマルチメディアコンテンツを伴ってもよい。
【００３２】
Ｓｉｍｏｎｓｓｏｎ出願に記載されているようなシステムにおいて、ＴＶチャネル（例えば、チャネル２）は、キーパッド上の「２」キー又は他の適切なキーを動作させることにより選択可能である。例えば、ＵＥは、ブロードキャストコンテンツの選択のための専用キーを含んでもよい。このキー動作が解釈されると、ＵＥの物理層（例えば、受信機３１０）は、図１に示されるような構成に対してはタイムスロット４及び５を受信して復号するようになる。このような機能を持つＵＥ２０２のブロック図が図３に示され、より詳細なブロック図が図４に示されている。キーパッド、キーボード、或いはジョイスティック３０４からユーザが入力した情報、及びブロードキャストシステムに関する情報（例えば、上述した受信機３１０を介してネットワークから受信可能なチャネル案内）に基づいて、制御プロセッサ３０２は、どの（単数又は複数の）タイムスロットを受信して復号するかを決定する。次いで、タイムスロットの情報は、受信機３１０に含まれるフロントエンド受信機（Ｆｅ  ＲＸ）４０２及びデコーダ４０４の両方に入力される。Ｆｅ  ＲＸ４０２及びデコーダ４０４は、ＵＥ２０２の「物理層」である。Ｆｅ  ＲＸ４０２は、適切なアンテナ４０６によって捕捉された信号を受信し、受信した信号をベースバンドにダウンコンバートする。省電力のために、キーパッド３０４を介してユーザが選択したＴＶブロードキャストに対応するタイムスロットの間はＦｅ  ＲＸ４０２に電力が投入され、ブロードキャストは適切なマルチメディアデコーダ３１２によって受信されて復号される。マルチメディアデコーダ３１２は、プロセッサ３０２によって実行されるソフトウェアとして実装されてもよいし、ハードウェアデバイスとして実装されてもよい。
【００３３】
Ｓｉｍｏｎｓｓｏｎ出願の特徴のいくつかを上で説明してきたので、以下では、例えばＳｉｍｏｎｓｓｏｎ出願に記載されているような、通信システムにおけるＭＴにとって、ＴＶ及び他のマルチメディアを良い品質で受信することを可能にするために有利な、追加の機能を説明する。
【００３４】
＜強化されたＥＤＧＥ機能＞
ＥＤＧＥ（３ＧＰＰ  リリース５）システムに従って情報を受信して復号することができる従来技術のＵＥ５００のブロック図を図５Ａに示す。ＥＤＧＥ無線信号は、アンテナ５０２によって受信され、Ｆｅ  ＲＸ５０４によってベースバンド信号にダウンコンバートされる。ベースバンド信号はＥＤＧＥベースバンド処理部５０６に入力される。ＥＤＧＥベースバンド処理部５０６は、チャネル推定、等化（イコライゼーション）、インターリーブ解除、及びチャネル復号を、従来技術においてよく知られている方法で実行することにより、ＵＥのアプリケーションやディスプレイなどに供給される復号されたデータを生成する。データのスループットを最適化するために、リンク品質測定がユニット５０６によって実行され、最適なＭＳＣが使用可能になるように、リンク品質情報（ＬＱＣ）が基地局への送信のための変調器５０８へ供給される。更に、受信したデータパケットが正しく復号されたか或いは誤って復号されたかに関するＡＣＫ／ＮＡＣＫ情報もまた、変調器５０８、フロントエンド送信機（Ｆｅ  ＴＸ）５１０、及びアンテナ５０２を介して基地局へフィードバックされる。変調器はまた、ＵＥ５００によって送信されるデータ（例えば、音声、テキスト、など）も受信する。
【００３５】
ＡＣＫ／ＮＡＣＫ及びＬＱＣシグナリングなどのフィードバック情報は、ＥＤＧＥのブロードキャストモードでは必要ないので、ＥＤＧＥフィードバック情報を無効化することのできるＵＥは、ＥＤＧＥ上でマルチメディアを受信するのに有用である。図５Ｂは、ＥＤＧＥフィードバック信号を無効化する構成を示す、ＵＥ２０２などのブロック図である。ＬＱＣ及びＡＣＫ／ＮＡＣＫ情報は、ベースバンドプロセッサ４０４から制御プロセッサ３０２へ入力される。マルチメディア受信モードをユーザが選択しているか否かは、適切なｙｅｓ／ｎｏ信号によってプロセッサ３０２へ示される。この信号は、キーパッド３０４へのユーザ入力によって生成されてもよいし、キーパッド３０４へのユーザ入力に応じて生成されてもよい。例えば、ｙｅｓ／ｎｏ信号は、ユーザがチャネル又はコンテンツを選択することによって生成され得る。ｙｅｓ／ｎｏ信号に基づいて、プロセッサ３０２は、ＡＣＫ／ＮＡＣＫ及びＬＱＣ情報を変調器５０８に入力したり或いは入力しなかったりし、また、Ｆｅ  ＴＸ５１０を停止させたり或いは停止させなかったりする。
【００３６】
＜ブロードキャストモードにおけるセルサーチ及び信号強度測定の方法＞
ＵＥ２０２は、ＥＤＧＥブロードキャストの受信中はアイドルモードになってよいので、ネットワークはＵＥに関する知識を持たず、それゆえ、ＵＥに通常の測定処理を行わせる基地局からのコマンドによって受信が中断されることは無い。ここで、通常の測定処理は、受信したセルの受信信号強度表示信号（ＲＳＳＩ）を判定し、セルサーチ（即ち、周波数補正チャネル（ＦＣＨ）、同期チャネル（ＳＣＨ）、及び報知チャネル（ＢＣＨ）のサーチ）を実行することを含む。それにも関わらず、ＵＥは、ブロードキャストの受信が中断される危険を最小限にするように、測定処理をスケジューリングしなければならない。そのような測定をスケジューリングする方法を図６に示す。この方法は、適切にプログラムされたプロセッサ３０２によって実行可能であることが理解されよう。
【００３７】
最初に、上述したＥＤＧＥコンテンツブロードキャストを受信するようにＵＥ２０２が設定されているか否かが判定される（ステップ６０１）。ＵＥがアイドル状態であってＥＤＧＥブロードキャスト受信モードでない場合、測定処理のスケジューリングは、よく知られた従来技術に従って行われる（ステップ６０３）。ＵＥがブロードキャスト受信モードの場合、以下の有利な測定スケジューリングが使用される。
【００３８】
例えば、タイムスロットＴＳｉ，ＴＳｊ（まとめて、ＴＳｉｊと表す）でＥＤＧＥブロードキャストを受信するものとする。ＵＥは、ブロードキャスト受信時間ＴＳｉｊ以外の時間に他のセルのＲＳＳＩ測定結果を評価し（ステップ６０５）、評価に基づいてセルの再選択が実行されたりされなかったりする（ステップ６０７）。再選択されなかった場合、ＵＥは、ブロードキャスト受信時間ＴＳｉｊ以外の時間に他の既知のセルについてＲＳＳＩの測定を継続し、ＢＣＣＨキャリア上のタイムスロットＴＳ０における通常の時間に送信されたページメッセージを読む（ステップ６０９）。次いで、処理の流れは評価ステップ６０５に戻る。
【００３９】
セルの再選択が行われた場合、ＵＥは、受信周波数を、新しいセルで使用されているキャリア信号の周波数に変更し、新しいセル上でブロードキャストチャネル（特に、タイムスロットＴＳ０におけるＢＣＣＨ）を読む（ステップ６１１）。近隣リスト(neighbor list)において何らかの新しいセルが見つかった場合、ＵＥは、これらのセルのためのＦＣＨ及びＳＣＨの検索を開始する（ステップ６１３）。この検索は、ブロードキャスト受信を中断しないようにするために、ブロードキャスト受信タイムスロットＴＳｉｊ以外の時間において実行される。ＦＣＨ又はＳＣＨが発見された場合（ステップ６１３のｙｅｓ）、そのセルに関するＢＣＣＨが読まれ、新しいセルがセルの近隣リストに含められる（ステップ６１５）。
【００４０】
ＦＣＨ／ＳＣＨがブロードキャスト受信タイムスロットＴＳｉｊ以外の時間に発見されなかった場合、これは、近隣リストにおけるセルと今いるセルとの間のタイミングが、近隣セルにおけるＢＣＣＨのタイムスロットＴＳ０がＥＤＧＥブロードキャスト受信の時間にぶつかるようになっているということを意味する。そこで、ＵＥは、ブロードキャスト受信を中断しなければならないが、中断は、ブロードキャスト受信の品質を最小限しか低下させないように行われなければならない。これは、ＦＣＨ／ＳＣＨ検索を実行するためにｎ番目のＴＤＭＡフレーム毎にのみブロードキャスト受信を中断することによって実行可能である（ステップ６１７）。ＧＳＭ／ＥＤＧＥシステムにおいては、ＦＣＨ／ＳＣＨフレームは、ＢＣＣＨ上のＴＳ０において１０のＴＤＭＡフレーム毎に見出される。それゆえ、最終的にＦＣＨ／ＳＣＨバーストを発見するためには、１１，２１，３１，．．．のＴＤＭＡフレーム毎にＦＣＨ／ＳＣＨ検索が実行されればよい。１１、２１、又は３１などを、或いは他の値のどれを使用するかは、ＵＥのビデオデコーダがエラーのあるブロックを訂正して復号する能力に依存する。適切な値は、実験室の試験(laboratory test)で得られ、移動端末のメモリにハードコード或いは格納される。
【００４１】
新しいセルのＦＣＨ／ＳＣＨが発見されると、ＵＥは新しいセルのためのＢＣＨを読み、そのセルを近隣リストに追加する（ステップ６１９）。次いで、処理の流れは評価ステップ６０５に戻る。
【００４２】
このおおまかな方法は、もちろん、多数の方法で変更及び拡張することが可能である。２つのそのような変更を以下に説明する。
【００４３】
＜マルチメディアデコーダからの情報に基づくセルサーチのスケジューリング＞
上述の通り、品質の大きな低下無しにブロードキャスト受信を中断できる時間の長さは、受信しているマルチメディアデコーダがエラーのある或いは失われたブロックを訂正する能力に大きく依存する。それゆえ、セルサーチ（即ち、ＦＣＨ／ＳＣＨ検索）は、いつ、そしてどれだけ長時間受信を中断できるかを制御するデコーダ３１２によって、有利にスケジュールすることができる。
【００４４】
例えば、セルの再選択をする場合、ＵＥは、周波数を新しいセルに変更しなければならない。ブロードキャストサービスに関して、新しいセルは古いセルと完全には同期していない場合もある。（異なるセルにおけるブロードキャストサービスのタイミングは、一般的に、１００ミリ秒くらい異なっている場合がある。）従って、デコーダ３１２はリスタート(restart)され、いずれにせよブロードキャスト受信において中断がもたらされるということになり得る。そのような場合、デコーダがリスタートすることの表示信号は、デコーダ３１２からＵＥにおける物理層の処理へ通知され、その時間は、ＵＥは、新しいセルのためのＦＣＨ／ＳＣＨバーストを発見するためにＴＤＭＡフレーム全体に亘ってセルサーチを行うことができる。デコーダ３１２（或いはデコーダソフトウェアを実行するプロセッサ３０２）は、送信されたフレームに含まれるフレーム番号を監視することにより、リスタートしなければならないということを「知る」ようになる。新しいセルからのフレーム番号が古いセルからのフレーム番号と揃っていない場合、ビデオデコーダはリスタートされなければならならず、そのようなリスタート処理がセルサーチのトリガーとなる。
【００４５】
＜ＥＤＧＥマルチメディアシステムからの情報に基づくセルサーチのスケジューリング＞
セルサーチによる中断に起因するマルチメディアの品質の低下を最小限にする他の方法は、マルチメディアの送信において、ネットワークに「アイドルフレーム(idle frame)」を含ませることである。アイドルフレームは、マルチメディアデータが送信されない空のフレームであり、例えば、規則的な間隔で１以上のアイドルフレームが含まれ得る。（単数又は複数の）アイドルフレームの間、ＵＥはセルサーチや測定などを行うことができる。アイドルフレームの数及び周期性は、マルチメディアデコーダ３１２がそのようなアイドルフレームを訂正できるように選択され得る。
【００４６】
周期性は、ＳＭＳブロードキャストメッセージ、或いは上述した「サービス案内」の中でＵＥに知らせることができる。別の方法として、アイドルフレームは、ＵＥによって「盲目的に」検出されてもよく、ＵＥは、検出されたアイドルフレームに基づいて周期性を導出する。ＵＥは、フレームが情報を含んでいるか否かを判定することによりアイドルフレームを盲目的に検出することができ、この検出は、ベースバンドプロセッサ４０４又はプロセッサ３０２のいずれかによって容易に実行可能である。ベースバンドプロセッサ４０４又はプロセッサ３０２はまた、アイドルフレームの発生を記録紙、そこから周期性を判定する。周期性は、システムにおける全マルチメディアチャネルに対して同一であってもよいし（ＵＥは１度だけ周期性を決定するか或いは通知されればよいことを意味する）、各セル／チャネル毎に異なっていてもよいということが理解できよう。後者の場合、ＵＥは、適切な基準で（例えば、あるセルから他のセルへのハンドオーバ後に）アイドルフレームの周期性を判定する。
【００４７】
アイドルフレームの盲目的な検出を実行可能にする１つの方法は、タイムスロットの既知の部分の間（例えば、トレーニングシーケンス(training sequence)の間）に、従来技術でよく知られているいくつかの方法のいずれかにより、受信信号エネルギーを推定することによるものである。アイドルフレームはトレーニングシーケンスを持たないので、信号エネルギーの推定値は０又は０に十分近くなり、非アイドルフレームの信号エネルギーの推定値から容易に区別できる。プロセッサ４０４又はプロセッサ３０２は、アイドルフレームを信号フレームと区別するために比較器及び閾値検出器のうちの少なくとも一方を実装することができる。盲目的な検出を行う他の同様な方法は、デコーダ３１２の出力を監視することによるものである。アイドルフレームはいかなるデコード可能なコンテンツも持たないので、例えデコーダが上述したようにアイドルフレームに対して訂正を行うことができなければならないとしても、アイドルフレームに対するデコーダ３１２の出力は非アイドルフレームに対する出力から容易に区別されるはずである。このようにしてアイドルフレームを検出することにより、アイドルフレームの周期性が上述の様に推定可能である。
【００４８】
本発明は、例えば移動通信デバイスを含む、多種多様な環境において実施可能であることが期待できる。また、上述の処理は、必要に応じて反復的に実行されるということも理解できよう。理解を促進するために、本発明の特徴を、例えばプログラム可能なコンピュータシステムの構成要素によって実行可能な一連の動作に関する見地から説明した。専用回路（例えば、特定の機能を実行するように相互接続された個別論理回路、又は特定用途向け集積回路）、１以上のプロセッサによって実行されるプログラム命令、或いは両者の組み合わせによって、多様な動作を実行可能であるということが認識されよう。
【００４９】
それゆえ、本発明は、多くの異なる形態で具現可能であり、その全てが上述されているわけではない。そのような全ての形態は、本発明の範囲に属するように意図されている。本発明の多様な特徴それぞれについて、記載されている動作を実行する「ように構成された論理(logic configured to)」、又は記載されている動作を実行する「論理(logic that)」のような形態で言及することができる。
【００５０】
「含む(comprises)」及び「含んでいる(comprising)」という用語は、本願で使用されるとき、言及された特徴、整数、ステップ、或いは構成要素の存在を明示するが、１以上の他の特徴、整数、ステップ、構成要素、或いはこれらの集合の存在を排除するものではないということを強調しておく。
【００５１】
上述の特定の実施形態は、単に説明のためのものであり、いかなる方法でも限定的なものに解釈してはならない。本発明の範囲は以下の請求の範囲によって決定され、請求の範囲に含まれる全ての変形及び均等物は、そこに包含されるように意図されている。
【図面の簡単な説明】
【００５２】
【図１】複数のタイムスロットを持つブロードキャストチャネルを示す図である。
【図２】通信システムのブロック図である。
【図３】移動端末のブロック図である。
【図４】移動端末の更に詳細なブロック図である。
【図５Ａ】従来技術における移動端末のブロック図である。
【図５Ｂ】改良された移動端末のブロック図である。
【図６】セルサーチ及び信号強度測定をスケジューリングする方法のフローチャートである。
【図１】
2008514147.tif 000003
【図２】
2008514147.tif 000004
【図３】
2008514147.tif 000005
【図４】
2008514147.tif 000006
【図５Ａ】
2008514147.tif 000007
【図５Ｂ】
2008514147.tif 000008
【図６】
2008514147.tif 000009
【手続補正書】
【提出日】平成18年7月5日(2006.7.5)
【手続補正１】
【補正対象書類名】明細書
【補正対象項目名】０００８
【補正方法】変更
【補正の内容】
【０００８】
例えそうであっても、ＤＶＢ−Ｈに対抗するためには、セルラブロードキャストベアラの性能は、改良すべき状態に置かれている。エンハンストＧＰＲＳ（ＥＧＰＲＳ）及びＷＣＤＭＡのシステムのいずれにおいても、専用のユニキャストチャネルは、大規模な使用形態に拡張できないので、モバイルＴＶのストリーミングに使用することは困難である。無線ネットワークにおける容量の限界に関するこの問題には、ＭＢＭＳが有効である。ＭＢＭＳは、同一のコンテンツを受信する端末の各グループに対して１つの個別チャネル(dedicated channel)を提供する。それにも関わらず、番組案内又はサービスの説明のための別のチャネルも必要である。更に、チャネルの切り替えは、ストリーミングセッションの再開によって引き起こされる遅延のために、現在標準化されているＭＢＭＳでは遅いものとなり得る。
Ｄｉａｃｈｉｎａ他による米国特許出願公開第２００４／０１３６３９２号明細書（２００４年７月１５日）は、パケットデータセッションをあるセルにおける第１のパケットデータチャネル（ＰＤＣＨ）から他のセルにおける第２のＰＤＣＨに切り替えるのに必要な時間を減少させる再選択方法を開示する。移動局が第１のＰＤＣＨ上のパケットデータセッションに従事している間に、移動局は隣接するセルにおける制御チャネルのチャネル品質を監視し、再選択の決定を行う前に隣接する制御チャネル上のブロードキャスト情報の少なくとも一部を読む。ある予め定められた基準が満たされると、１以上の隣接する制御チャネルが潜在的な再選択の候補として特定される。移動局は選択されたセルにおけるブロードキャスト情報を事前に読んでいるので、新しいＰＤＣＨ上のサービスを即座に捕捉することができる。
【手続補正２】
【補正対象書類名】明細書
【補正対象項目名】０００９
【補正方法】変更
【補正の内容】
【０００９】
ＧＳＭ／ＥＤＧＥ標準に適合してＴＶ放送を提供する通信システムは、Ａ．Ｓｉｍｏｎｓｓｏｎ他によって２００５年９月１４日に出願された米国特許出願第１１／２２６，４８５号"Transparent TV Broadcast Structure in GSM/EDGE Networks"に記載されている。ここで参照により全体が明示的に本願に組み込まれ、本特許出願においては「Ｓｉｍｏｎｓｓｏｎ出願」と呼ぶ上記の特許出願は、ＧＳＭ／ＥＤＧＥ又は同様の通信システムにおける報知制御チャネル（ＢＣＣＨ）のタイムスロット・ゼロ（ＴＳ０）によって一般的に搬送される、既存のショートメッセージサービス（ＳＭＳ）ブロードキャストチャネルを、追加のタイムスロットによって拡張可能であることを記載している。また、これらの追加のタイムスロットは、ツリー構造で示すことが可能であり、そのルートがＳＭＳブロードキャストチャネルに存在することを記載している。ＢＣＣＨは一般的に、例えばページングメッセージや呼警報(call alert)メッセージのようなオーバヘッドメッセージに加えて、個々の端末へ向けられたＳＭＳのようなテキストメッセージを搬送する。
【国際調査報告】
2008514147.tif 000010
2008514147.tif 000011
2008514147.tif 000012